(57)【要約】【課題】衝撃を全体に分散させて高い衝撃吸収性能及び耐衝撃性を確保することができる車両の歩行者保護アブソーバを提供すること。【解決手段】樹脂にて一体成形された部材である車両の歩行者保護アブソーバ７を、少なくとも前端が開口して車両前後方向に延びる複数のビード１０を車幅方向に並設するとともに、上下面の各ビード１０の内部に車両前後方向に延びる縦リブ１１と横方向に延びる複数の横リブ１２を配設し、互いにＸ字状にクロスするＸリブ８を前端縁に沿って配設するとともに、該Ｘリブ８の車両後方に横方向に延びるリブ９を形成して構成する。【選択図】図５
2010188842.tif 000002
【特許請求の範囲】
【請求項１】
樹脂にて一体成形された部材であって、少なくとも前端が閉口して車両前後方向に延びる複数のビードを車幅方向に並設するとともに、上下面の各ビードの内部に車両前後方向に延びる縦リブと横方向に延びる複数の横リブを配設し、互いにＸ字状にクロスするＸリブを前端縁に沿って配設するとともに、該Ｘリブの車両後方に横方向に延びるリブを形成したことを特徴とする車両の歩行者保護アブソーバ。
【請求項２】
前記Ｘリブと前記縦リブとを繋げない形状としたことを特徴とする請求項１記載の車両の歩行者保護アブソーバ。
【請求項３】
請求項１又は２記載の歩行者保護アブソーバによってバンパフェイシャとその後方に横架された車体のクロスメンバとを連結したことを特徴とする車両の車体前部構造。
【発明の詳細な説明】
【技術分野】
【０００１】
本発明は、樹脂で一体成形された車両の歩行者保護アブソーバ及びこれを含む車体前部構造に関するものである。
【背景技術】
【０００２】
車両前部のバンパフェイシャの下部後方には、車両が歩行者に接触衝突した際の衝撃を吸収して歩行者を保護するための歩行者保護アブソーバが設けられるが、この歩行者保護アブソーバは、樹脂にて一体成形されており、従来はリブのみ又はビードのみで構成されていた。
【０００３】
歩行者保護アブソーバにおいて、車両前後方向に延びる縦リブによって衝撃を車体横方向のメンバに伝達する構成を採用する場合、伝達する距離が長いと縦リブだけでは衝撃が車体横方向のメンバに伝わらないため、縦リブに割れや亀裂が発生してしまい、大きな衝撃荷重に耐えることができない。このため、斯かる歩行者保護アブソーバは、バンパフェイシャとクロスメンバとの距離が短い車両には適用することができない。
【０００４】
他方、歩行者保護アブソーバを車両前後方向に延びるビードのみで構成した場合、該歩行者保護アブソーバに自重による車幅方向の撓みが発生し、衝撃が加わった場合にはビードが横方向に開いて衝撃が効果的に伝わらないため、斯かる歩行者保護アブソーバは、車幅方向の寸法が小さい車両にしか適用することができない。
【０００５】
ところで、特許文献１には、縦リブと横リブを備えた歩行者保護アブソーバ（プレート部材）の後端をシュラウドロアの前面部に取り付け、前端をバンパフェイシャの裏面に隣接する位置まで延ばし、縦リブの中間部分に、前後方向の荷重に対する脆弱部（ノッチや開口孔）を形成する構成が提案されている。
【先行技術文献】
【特許文献】
【０００６】
【特許文献１】特開２００８−２６５３９９号公報
【発明の概要】
【発明が解決しようとする課題】
【０００７】
しかしながら、特許文献１において提案された構成では、歩行者保護アブソーバ（プレート部材）は衝撃が加わった部分の衝撃吸収性能は高いが、その衝撃を全体に分散させることができないため、衝撃吸収性能及び耐衝撃性が低いという問題がある。又、歩行者保護アブソーバ（プレート部材）の前端はフリーであるため、バンパフェイシャの振動を抑えることができないという問題もある。
【０００８】
本発明は上記問題に鑑みてなされたもので、その目的とする処は、衝撃を全体に分散させて高い衝撃吸収性能及び耐衝撃性を確保することができるとともに、バンパフェイシャの振動を低く抑えることができる車両の歩行者保護アブソーバ及び車体前部構造を提供することにある。
【課題を解決するための手段】
【０００９】
上記目的を達成するため、請求項１記載の発明は、樹脂にて一体成形された部材である車両の歩行者保護アブソーバを、少なくとも前端が閉口して車両前後方向に延びる複数のビードを車幅方向に並設するとともに、上下面の各ビードの内部に車両前後方向に延びる縦リブと横方向に延びる複数の横リブを配設し、互いにＸ字状にクロスするＸリブを前端縁に沿って配設するとともに、該Ｘリブの車両後方に横方向に延びるリブを形成して構成したことを特徴とする。
【００１０】
請求項２記載の発明は、請求項１記載の発明において、前記Ｘリブと前記縦リブとを繋げない形状としたことを特徴とする。
【００１１】
請求項３記載の車両の車体前部構造は、請求項１又は２記載の歩行者保護アブソーバによってバンパフェイシャとその後方に横架された車体のクロスメンバとを連結することを特徴とする。
【発明の効果】
【００１２】
請求項１記載の発明によれば、車両前後方向に延びる複数のビードを車幅方向に並設するとともに、歩行者保護アブソーバの上下面の各ビードの内部に車両前後方向に延びる縦リブと横方向に延びる複数の横リブを配設するとともに、各ビードの少なくとも前端を閉口させたため、ビードの横方向の拡大又は縮小が横リブによって抑えられ、前端からの衝撃を各ビードの前端閉口部で受けることによって該ビードの左右の側壁と平面部に衝撃力を分散させることができる。この結果、衝撃を歩行者保護アブソーバの全体に分散させて該歩行者保護アブソーバに高い衝撃吸収性能と耐衝撃性を確保することができる。
【００１３】
又、歩行者保護アブソーバに前方から加わる衝撃はその前端縁に沿って配設されたＸリブとその後方に形成された車幅方向のリブによって幅方向に拡散されるため、当該歩行者保護アブソーバの衝撃吸収性能と耐衝撃性が更に高められる。
【００１４】
請求項２記載の発明によれば、歩行者保護アブソーバの前端縁に沿って配設されたＸリブと縦リブとを繋げない形状としたため、前方からの衝撃が主にビードに伝達されて吸収される。
【００１５】
請求項３記載の発明によれば、歩行者保護アブソーバによってバンパフェイシャとその後方に横架された車体のクロスメンバとを連結したため、バンパフェイシャの振動が低く抑えられるとともに、前方から過大な衝撃が加わった場合に歩行者保護アブソーバに割れ等が発生して該歩行者保護アブソーバの衝撃吸収性が高められる。
【図面の簡単な説明】
【００１６】
【図１】本発明に係る車体前部構造を示す車両前部の斜視図である。
【図２】本発明に係る車体前部構造を備えた車両前部を斜め後方から見た斜視図である。
【図３】本発明に係る歩行者保護アブソーバの平面図である。
【図４】図３のＡ−Ａ線断面図である。
【図５】図３のＢ部拡大詳細図である。
【図６】（ａ）は本発明に係る歩行者保護アブソーバのパンパフェイシャへの取付構造を示す部分側断面図、（ｂ）同歩行者保護アブソーバのクロスメンバへの取付構造を示す部分側断面図である。
【発明を実施するための形態】
【００１７】
以下に本発明の実施の形態を添付図面に基づいて説明する。
【００１８】
図１は本発明に係る車体前部構造を示す車両前部の斜視図、図２は同車両前部を斜め後方から見た斜視図であり、車両１の最前端には樹脂製のバンパフェイシャ２が車幅方向全幅に亘って設けられており、その車両後方には車幅方向に横架された横断面矩形のバンパメンバ３が配設されている。そして、バンパフェイシャ２とバンパメンバ３との間には、エネルギ吸収部材である不図示のアッパアブソーバが設けられている。
【００１９】
又、バンパフェイシャ２の上端縁には不図示のエンジンフードの前端縁が位置しており、バンパフェイシャ２の下端部は車両後方へと略直角に折り曲げられており、この折り曲げられた部分はロアカバー部２Ａを構成している。そして、車両１の前部下端のバンパフェイシャ２とその後方に横架された横断面矩形状のクロスメンバ６との間には、本発明に係る歩行者保護アブソーバ（ロアアブソーバ）７が略水平に配設されている。この歩行者保護アブソーバ７は、その前部がバンパフェイシャ２のロアカバー部２Ａの上に重なるよう配置されており、後述のように、その前部はバンパフェイシャ２のロアカバー部２Ａに取り付けられ、後部は前記クロスメンバ６に取り付けられている。
【００２０】
次に、本発明に係る歩行者保護アブソーバ７の詳細を図２〜図６に基づいて説明する。
【００２１】
図３は本発明に係る歩行者保護アブソーバの平面図、図４は図３のＡ−Ａ線断面図、図５は図３のＢ部拡大詳細図、図６（ａ）は本発明に係る歩行者保護アブソーバのパンパフェイシャへの取付構造を示す部分側断面図、図６（ｂ）同歩行者保護アブソーバのクロスメンバへの取付構造を示す部分側断面図である。
【００２２】
本発明に係る歩行者保護アブソーバ７は、樹脂にて一体成形された部材であって、図３及び図４に示すように、前記バンパフェイシャ２の平断面形状に沿って略円弧状に形成されている。そして、この歩行者保護アブソーバ７の前端部には、互いにＸ字状にクロスするＸリブ８（図５参照）が前端縁に沿って所定幅で配設されており、その車両後方には横方向に延びるリブ９が形成されている。
【００２３】
又、歩行者保護アブソーバ７の上記リブ９よりも車両後方の部位には、図３〜図６に示すように、車両前後方向に延びる複数のビード１０が車幅方向に並設されている。ここで、各ビード１０は、図４に示すように、台形の横断面形状の上下を逆転させながら車幅方向に繋げて構成され、その左右の側壁１０ａは斜面とされ、前後端は車両前方及び車両後方に向かってそれぞれ閉口している。
【００２４】
そして、歩行者保護アブソーバ７の上下面の各ビード１０の内部には、車両前後方向に延びる縦リブ１１と横方向に延びる複数の横リブ１２（図４及び図５参照）が配設されており、これらの縦リブ１１と横リブ１２は複数の格子状枠を形成している。そして、図５に示すように、その格子状枠には、水抜きや軽量化のための円孔１３がそれぞれ形成されている。
【００２５】
ところで、本実施の形態に係る歩行者保護アブソーバ７においては、図５のＥ部に示すように、前記Ｘリブ８と前記縦リブ１１とは互いに繋がらないような形状とされている。
【００２６】
而して、以上のように構成された歩行者保護アブソーバ７は、図６（ａ）に示すように、その前端部がこれと前記バンパフェイシャ２のロアカバー部２Ａに下方から挿通するボルト１４によってバンパフェイシャ２のロアカバー部２Ａに取り付けられている。ここで、バンパフェイシャ２のロアカバー部２Ａのボルト１４が挿通する部位には凹部２ａが形成されており、この凹部２ａ内にボルト１４の頭部が隠れて外部に突出しないよう配慮されている。又、図６（ａ）のＦ部に示すように、歩行者保護アブソーバ７の前端部はバンパフェイシャ２の裏側に沿って立ち上げられており、その上方にバンパフェイシャ２の凹凸部２ｂが位置している。このように構成することによって、衝突時に歩行者保護アブソーバ７に衝撃が加わって該歩行者保護アブソーバ７が変形しても、その前端部がバンパフェイシャ２の凹凸部２ｂに当接して該凹凸部２ｂよりも上方に逃げることがない。
【００２７】
又、歩行者保護アブソーバ７の後端平面部７ａは、図６（ｂ）に示すように、前記クロスメンバ６の下面に下側から当てられ、両者に下方から挿通するボルト１５をクロスメンバ６の内部に溶着された溶接ナット１６に締め付けることによってクロスメンバ６に取り付けられている。
【００２８】
以上において、本発明に係る歩行者保護アブソーバ７によれば、車両前後方向に延びる複数のビード１０を車幅方向に並設するとともに、歩行者保護アブソーバ７の上下面の各ビード１０の内部に車両前後方向に延びる縦リブ１１と横方向に延びる複数の横リブ１２を配設するとともに、各ビード１０の前後端を閉口させたため、ビード１０の横方向の拡大又は縮小が横リブ１２によって抑えられ、前端からの衝撃を各ビード１０の前端閉口部で受けることによって該ビード１０の左右の側壁１０ａと平面部１０ｂに衝撃力を分散させることができる。この結果、衝撃を歩行者保護アブソーバ７の全体に分散させて該歩行者保護アブソーバ７に高い衝撃吸収性能及び耐衝撃性を確保することができる。そして、本実施の形態では、歩行者保護アブソーバ７の各ビード１０の左右の側壁１０ａを斜面としたため、該歩行者保護アブソーバ７の軽量化と横方向の耐衝撃性を高めることができる。
【００２９】
又、本発明に係る歩行者保護アブソーバ７によれば、該歩行者保護アブソーバ７に前方から加わる衝撃はその前端縁に沿って配設されたＸリブ８とその後方に形成された車幅方向のリブ９によって幅方向に拡散されるため、当該歩行者保護アブソーバ７の衝撃吸収性能と耐衝撃性が更に高められる。そして、本実施の形態では、前述のように歩行者保護アブソーバ７の前端縁に沿って配設されたＸリブ８と縦リブ１１とを繋げない形状としたため（図５のＥ部参照）、前方からの衝撃が主にビード１０に伝達されて吸収されるという効果が得られる。
【００３０】
更に、本発明に係る車体前部構造によれば、歩行者保護アブソーバ７によってバンパフェイシャ２とその後方に横架された車体のクロスメンバ６とを連結したため、バンパフェイシャ２の振動が低く抑えられるとともに、前方から過大な衝撃が加わった場合に歩行者保護アブソーバ７に割れ等が発生して該歩行者保護アブソーバ７の衝撃吸収性が高められるという効果が得られる。
【符号の説明】
【００３１】
１          車両
２          バンパフェイシャ
２Ａ        バンパフェイシャのロアカバー部
２ａ        バンパフェイシャの凹部
２ｂ        バンパフェイシャの凹凸部
３          バンパメンバ
６          クロスメンバ
７          歩行者保護アブソーバ
７ａ        歩行者保護アブソーバの後端平面部
８          Ｘリブ
９          リブ
１０        ビード
１０ａ      ビードの側壁
１０ｂ      ビードの平面部
１１        縦リブ
１２        横リブ
１３        円孔
１４，１５  ボルト
１６        溶接ナット
１７        ボルト
【図１】
2010188842.tif 000003
【図２】
2010188842.tif 000004
【図３】
2010188842.tif 000005
【図４】
2010188842.tif 000006
【図５】
2010188842.tif 000007
【図６】
2010188842.tif 000008